(57)【要約】【課題】本発明に係る光源装置は、複数の光源での各光源間などに非発光部分が存在することに起因する輝度の不均一性の高まりを抑制するとともに、小型化を図ることが可能なる。【解決手段】本発明に係る光源装置では、複数の光拡散体は、第１光源の近傍で且つ第１光源に対して光出射方向の前方に位置する第１光拡散体と、第２光源の近傍で且つ第２光源に対して光出射方向の前方に位置する第２光拡散体とを有し、第１光拡散体は、第２光源の発する可視光より第１光源の発する可視光を吸収しやすい第１光吸収材を含み、第２光拡散体は、前記第１光源の発する可視光より前記第２光源の発する可視光を吸収しやすい第２光吸収材を含んでいることを特徴とする、光源装置。【選択図】図３
2009145319.tif 000002
【特許請求の範囲】
【請求項１】
第１光源を複数含んでなる第１光源群と、前記第１光源群の各第１光源間に位置し且つ前記第１光源の光とは異なる光を出射する第２光源を複数含んでなる第２光源群とを有するとともに、一方向に沿って互いに間隔をあけて配設される複数の光源と、
第１主面、第２主面、および前記光源と対向する対向面を有し、前記光源からの光を前記第１主面を介して出射する導光体と、
該導光体の前記第２主面上に配置され、前記導光体内に入射した光を拡散させる複数の光拡散体と、を備え、
複数の前記光拡散体は、前記第１光源の近傍で且つ前記第１光源に対して光出射方向の前方に位置する第１光拡散体と、前記第２光源の近傍で且つ前記第２光源に対して光出射方向の前方に位置する第２光拡散体とを有し、
前記第１光拡散体は、前記第２光源の発する可視光より前記第１光源の発する可視光を吸収しやすい第１光吸収材を含み、
前記第２光拡散体は、前記第１光源の発する可視光より前記第２光源の発する可視光を吸収しやすい第２光吸収材を含んでいることを特徴とする、光源装置。
【請求項２】
一方向に沿って、互いに間隔をあけて配設される複数の光源と、
第１主面、第２主面、および前記光源と対向する対向面を有し、前記光源からの光を前記第１主面を介して出射する導光体と、
該導光体の前記第２主面上に配置され、前記導光体内に入射した光を拡散させる複数の光拡散体と、を備え、
前記導光体の前記第２主面は、前記光源の近傍で且つ前記光源に対して光出射方向の前方に第１領域を有し、
前記第１領域に位置する前記光拡散体は、前記光源の発する可視光の少なくとも一部を吸収することを特徴とする、光源装置。
【請求項３】
前記導光体の前記第２主面は、隣り合う前記第１領域間に第２領域を有し、
前記第２領域に位置する前記光拡散体は、前記第１領域に位置する光拡散体より前記光源の発する可視光を吸収しにくい、請求項２に記載の光源装置。
【請求項４】
前記第２領域に位置する前記光拡散体の存在比率は、前記第１領域の位置する前記光拡散体の存在比率より大きい、請求項３に記載の光源装置。
【請求項５】
前記導光体の前記第２主面は、隣り合う前記第１領域間であって、前記第２領域よりも前記光源に対して離間している第３領域を有し、
前記第３領域に位置する前記光拡散体は、前記第２領域に位置する前記光拡散体より前記光源の発する可視光を吸収しやすい、請求項３に記載の光源装置。
【請求項６】
前記第３領域に位置する前記光拡散体の存在比率は、前記第２領域の位置する前記光拡散体の存在比率より大きい、請求項５に記載の光源装置。
【請求項７】
前記第３領域に位置する前記光拡散体の存在比率は、前記第１領域に位置する前記光拡散体の存在比率より小さい、請求項５に記載の光源装置。
【請求項８】
請求項２に記載の光源装置と、該光源装置の前記導光体の前記第１主面と対向配置される表示パネルと、を備えることを特徴とする、表示装置。
【発明の詳細な説明】
【技術分野】
【０００１】
本発明は、光源装置および該光源装置を備える表示装置に関する。
【背景技術】
【０００２】
光源装置としては、例えば液晶表示装置のバックライトのように、線状光源である冷陰極管（ＣＣＦＬ）および点状光源であるＬＥＤ（Light Emitting Diode）などの光源から導光板内に入射される光を該導光板の主面から出射させるものがある。【０００３】
しかしながら、上述のような光源装置では、例えば大型化に対応すべく複数の線状光源を配列させる場合、あるいは、小型でも複数の点状光源を配列させる場合において、各光源間に非発光部分が生じることに起因して、複数の光源から光が入射される導光板の入光部近傍で輝度の不均一性が高まる傾向があった。そこで、このような輝度の不均一性の高まりを抑制する技術が開発され、例えば特許文献１、２に開示されている。
【先行技術文献】
【特許文献】
【０００４】
【特許文献１】特開平９−２５９６２３号公報
【特許文献２】特開２００１−１１０２２４号公報
【発明の概要】
【発明が解決しようとする課題】
【０００５】
しかしながら、特許文献１に開示のＬＥＤ光源バックライトモジュールは、導光板の光源取付辺に凹面状の光導入部および反射面を形成する領域を確保する必要があるため、その領域を表示領域として使用することができない。同様に、特許文献２に開示の面発光装置も、導光板と一体成形された形状部などを設ける領域を確保する必要があるため、その領域を表示領域として使用することができない。つまり、特許文献１、２に開示の技術では、デッドスペースが大きくなってしまい、小型化を図るのが困難であった。【０００６】
本発明は、このような事情のもとで考え出されたものであって、複数の光源に基づく発光での輝度ムラを低減するとともに、小型化を図ることが可能な光源装置および該光源装置を備える表示装置を提供する、ことを目的とする。
【課題を解決するための手段】
【０００７】
本発明に係る光源装置は、一方向に沿って互いに間隔をあけて配設される複数の光源と、第１主面、第２主面、および前記光源と対向する対向面を有し、光源からの光を第１主面を介して出射する導光体と、導光体の第２主面上に配置され、導光体内に入射した光を拡散させる複数の光拡散体とを備えている。複数の上記光源は、第１光源を複数含んでなる第１光源群と、第１光源群の各第１光源間に位置し且つ第１光源の光とは異なる光を出射する第２光源を複数含んでなる第２光源群とを有している。また、複数の上記光拡散体は、第１光源の近傍で且つ第１光源に対して光出射方向の前方に位置する第１光拡散体と、第２光源の近傍で且つ第２光源に対して光出射方向の前方に位置する第２光拡散体とを有している。また、上記第１光拡散体は、第２光源の発する可視光より第１光源の発する可視光を吸収しやすい第１光吸収材を含み、上記第２光拡散体は第１光源の発する可視光より前記第２光源の発する可視光を吸収しやすい第２光吸収材を含んでいることを特徴とする。
【発明の効果】
【０００８】
本発明に係る光源装置では、輝度ムラを低減するとともに、小型化を図ることができる。【０００９】
本発明に係る表示装置では、表示品位を向上させるとともに、小型化を図ることができる。
【図面の簡単な説明】
【００１０】
【図１】本発明の第１の実施形態に係る光源装置の概略を表す図であり、（ａ）は平面図、（ｂ）は図１（ａ）のＩｂ−Ｉｂ線に沿った断面図である。
【図２】光源の配光角度と輝度との関係の一例を示すグラフである。
【図３】図１に示す複数の光源および導光体の概略を表す図であり、（ａ）は平面図、（ｂ）は要部拡大平面図である。
【図４】本発明の第２の実施形態に係る光源装置の概略を表す図であり、（ａ）は平面図、（ｂ）は図４（ａ）のＩＩｂ−ＩＩｂ線に沿った断面図である。
【図５】図４に示す複数の光源および導光体の概略を表す図であり、（ａ）は平面図、（ｂ）は要部拡大平面図である。
【図６】本発明の第３の実施形態に係る光源装置の概略を表す図であり、（ａ）は平面図、（ｂ）は図６（ａ）のＩＩＩｂ−ＩＩＩｂ線に沿った断面図である。
【図７】図６に示す複数の光源および導光体の概略を表す図であり、（ａ）は平面図、（ｂ）は要部拡大平面図である。
【図８】本発明の第４の実施形態に係る光源装置の概略を表す図であり、（ａ）は平面図、（ｂ）は図８（ａ）のＩＶｂ−ＩＶｂ線に沿った断面図である。
【図９】図８に示す複数の光源および導光体の概略を表す図であり、（ａ）は平面図、（ｂ）は要部拡大平面図である。
【図１０】本発明の第５の実施形態に係る光源装置の概略を表す図であり、（ａ）は平面図、（ｂ）は図１０（ａ）のＶｂ−Ｖｂ線に沿った断面図である。
【図１１】図１０に示す複数の光源および導光体の概略を表す図であり、（ａ）は平面図、（ｂ）は要部拡大平面図である。
【図１２】本発明の第６の実施形態に係る光源装置の概略を表す図であり、（ａ）は平面図、（ｂ）は図１２（ａ）のＶＩｂ−ＶＩｂ線に沿った断面図である。
【図１３】図１２に示す複数の光源および導光体の概略を表す図であり、（ａ）は平面図、（ｂ）は要部拡大平面図である。
【図１４】図１に示す光源装置を備える表示装置の概略を表す断面図である。
【図１５】図１４に示す表示装置における表示パネルの概略を表す斜視図である。
【発明を実施するための形態】
【００１１】
図１は、本発明の第１の実施形態に係る光源装置Ｘ１の概略を表す図である。
【００１２】
光源装置Ｘ１は、複数の光源１０と、導光体２０と、複数の光拡散体３０と、反射体４０と、拡散板５０と、プリズム６０と、を備えている。
【００１３】
光源１０は、導光体２０に向けて光を出射する役割を担うものであり、図１に示すように、複数の光源１０は、一方向に沿って互いに離間して配列している。光源１０としては、例えばＬＥＤ、ＣＦＬ（Cathode Fluorescent Lamp）、ハロゲンランプ、キセノンランプ、およびＥＬ（electro-luminescence）が挙げられるが、中でも、ＬＥＤを採用すれば、製品の低消費電力化および低ノイズ化が図れるため好ましい。
【００１４】
複数の光源１０は、第１光源１０ａを複数含んでなる第１光源群１０Ａと、第１光源１０ａの光とは異なる光を出射する第２光源１０ｂを複数含んでなる第２光源群１０Ｂとを有している。第１光源１０ａは一方向に沿って互いに離間して配列しており、複数の第２光源１０ｂは各第１光源１０ａ間に位置している。
【００１５】
光源装置Ｘ１では、第１光源群１０Ａの各光源１０ａから出射される光の輝度が基準値以上となる角度を第１高配光角度とし、該輝度が該基準値より小さくなる角度を第１低配光角度とする。また、光源装置Ｘ１では、第２光源群１０Ｂの各光源１０ｂから出射される光の輝度が基準値以上となる角度を第２高配光角度とし、該輝度が該基準値より小さくなる角度を第２低配光角度とする。基準値は、要求性能に応じて所望の値に設定すればよいが、照射対象に向けて光を出射する光出射面２０ａの輝度の均一性を高めるように設定するのが好ましい。例えば、光源１０からの光が入射される導光体２０の光入射面２０ｂに対して垂直方向に光源１０から入射される光の輝度を１とする（規格化する）場合、基準値は０．４以上０．６以下に設定するのが好ましい。図２は、光源の配光角度と輝度との関係の一例を示すグラフである。これによると、基準値を０．５（規格値）する場合、−６０°〜６０°の範囲が高配向角度となり、−９０°〜−６０°および６０°〜９０°の範囲が低配向角度となる。
【００１６】
導光体２０は、複数の光源１０からの出射光を照射対象に導く役割を担うものである。導光体２０は、第１主面としての光出射面２０ａと、第２主面としての下面２０ｃと、対向面としての光入射面２０ｂと、を有する例えば直方体状とされる。光出射面２０ａは、例えば表示パネルなどの照射対象に向けて光を出射する部位である。下面２０ｃは、光入射面２０ｃの反対に位置する部位である。また、光入射面２０ｂは、複数の光源１０からの光が入射し、該複数の光源１０が対向配置される部位である。導光体２０の材料としては、例えばアクリル樹脂およびポリカーボネート樹脂などの透光性を有する材料が挙げられる。ここで、透光性とは、可視光に対する透過性を意味する。
【００１７】
光源装置Ｘ１では、導光体２０において、第１光源群１０Ａの各第１光源１０ａから第１高配向角度の方向に出射された光が入光する領域を第１高配光領域とし、該第１高配光領域以外の領域で且つ第１低配向角度の方向に出射された光が入光する領域を第１低配光領域とする。また、導光体２０では、第２光源群１０Ｂの各第２光源１０ｂから第２高配向角度の方向に出射された光が入光する領域を第２高配光領域とし、該第２高配光領域以外の領域で且つ第２低配向角度の方向に出射された光が入光する領域を第２低配光領域とする。
【００１８】
導光体２０は、第１部位２１と、第２部位２２と、第３部位２３と、第４部位２４とを有している。図３において各部位２１、２２、２３、２４の境界は破線で示されている。第１部位２１は、第１高配光領域で且つ第２低配光領域に位置し、第１光源１０ａが対向配置されている部位である。第２部位２２は、第１低配光領域で且つ第２高配光領域に位置し、第２光源１０ｂが対向配置されている部位である。第３部位２３は第１低配光領域で且つ第２低配光領域に位置し、光源１０が対向配置されていない部位である。第４部位２４は、第１高配光領域で且つ第２高配光領域に位置するとともに、第１高配光領域と第１低配光領域との境界線の交点を結ぶ基準線ＢＬより各光源１０ａ、１０ｂ側に位置する部位である。
【００１９】
図３は、複数の光源１０と導光体２０と複数の光拡散体３０とを表す平面図である。
【００２０】
複数の光拡散体３０は、導光体２０を介して入射する光を拡散する役割を担うものであり、導光体２０の下面２０ｃに位置している。また、複数の光拡散体３０は、複数の第１光拡散体３０ａと、複数の第２光拡散体３０ｂと、複数の第３光拡散体３０ｃと、複数の第４光拡散体３０ｄとを有している。
【００２１】
複数の第１光拡散体３０ａは、第１部位２１に対応する領域に位置しており、第１光吸収材を含んでいる。第１光吸収材は、光源１０からの可視光の少なくとも一部を吸収する機能を有しており、第２光源１０ｂの可視光に比べて第１光源１０ａの可視光を吸収しやすく、例えば第１光源１０ａからの出射光の補色と同系色の色素を含んでいる。複数の第２光拡散体３０ｂは第２部位２２に対応する領域に位置しており、第２光吸収材を含んでいる。第２光吸収材は、光源１０からの可視光の少なくとも一部を吸収する機能を有しており、第１光源１０ａの可視光に比べて第２光源１０ｂの可視光を吸収しやすく、例えば第２光源１０ｂからの出射光の補色と同系色の色素を含んでいる。ここで、可視光の吸収の度合は、例えば、光源からの光を光吸収材に照射することで測定した透過光の発光スペクトルと出射光の発光スペクトルとを、最大強度で規格化した光の強度と波長と関係のグラフで表して、各スペクトルの可視光域での面積差から判断される。
【００２２】
第３光拡散体３０ｃは第３部位２３に対応する領域に位置しており、第４光拡散体３０ｄは第４部位２４に対応する領域に位置している。第３光拡散体３０ｃおよび第４光拡散体３０ｄは、第１光源１０ａの可視光および第２光源１０ｂの可視光の吸収を抑制されており、例えば白色系色素を含んでいる。また、本実施形態において第３光拡散体３０ｃおよび第４光拡散体３０ｄの存在比率は、第１光拡散体３０ａおよび第１光拡散体３０ｂの存在比率と実質的に同程度である。ここで、各光拡散体３０ａ、３０ｂ、３０ｃ、３０ｄの存在比率とは、各部位２１、２２、２３、２４に対応する領域に位置する各光拡散体３０ａ、３０ｂ、３０ｃ、３０ｄの平面視面積の総和を各部位２１、２２、２３、２４の平面視面積の総和で割った値となる。また、実質的とは、公差あるいは製造誤差レベル（例えば±２％以内）のズレを含むことを意味している。
【００２３】
本実施形態において光拡散体３０は、所定のパターンで配置される複数の点状の構造体である。光拡散体３０の材料としては、上述の導光体２０の材料と同様のものが挙げられ、例えば周知のスクリーン印刷法やインクジェット印刷法などによって前述の材料を塗布したり、また、金型成型などによって導光体２０の下面２０ｃ自体に所定形状の溝（凹凸）を設けることで形成される。
【００２４】
反射体４０は、導光体２０の光出射面２０ａ以外から出射される光を導光体２０に向けて反射する役割を担うものである。本実施形態において反射体４０は、導光体２０の下面２０ｃに対向配置されている。また、反射体４０は、複数の光源１０から出射される光のうち導光体２０に入射されなかった光を導光体２０に向けて反射する役割も担っており、その一部が複数の光源１０の一部を覆っている。反射体４０の材料としては、例えば銀、アルミニウム、これらを含む合金などの金属、ポリエチレンテレフタラート（ＰＥＴ）系材料を延伸させてなる白色発泡体、ＰＥＴ系材料を含んでなる基材上に銀など金属を成膜したものなどが挙げられる。
【００２５】
拡散板５０は、導光体２０の光出射面２０ａから照射対象に向けて出射される光の輝度の均一性を高める役割を担うものであり、導光体２０の光出射面２０ａに対向配置されている。拡散板５０の材料としては、例えば、ＰＥＴなどの樹脂材料を含んでなる基材上にシリカビーズ含有樹脂を硬化させてなるシートと、ポリカーボネート（ＰＣ）などの樹脂材料中にシリカビーズを混合させてなるシートとが挙げられる。
【００２６】
プリズム６０は、入射される光を屈折する役割を担うものであり、プリズム６０に入射した光を導光体２０の光出射面２０ａに対して略垂直方向となるように屈折させて出射する。プリズム６０としては、例えば、ＰＥＴなどの樹脂材料を含んでなる基材にアクリル系材料にて形成したプリズム構造体を積層したものと、ＰＣなどの樹脂材料を含んでなる基材自体にプリズム構造を形成したものとが挙げられる。
【００２７】
本実施形態に係る光源装置Ｘ１では、第１部位２１に対応する第１光拡散体３０ａが第１光吸収材を含み、第２部位２２に対応する第２光拡散体３０ｂが第２光吸収材を含んでいる。つまり、光源装置Ｘ１では、第１高配光領域の中でも第１光源群１０Ａの各光源１  ０ａの近傍に位置するために該各光源１０ａの発光時に輝度が高くなり易い第１部位２１において、第１光源１０ａからの可視光の少なくとも一部が吸収される。同様に、光源装置Ｘ１では、第２高配光領域の中でも第２光源群１０Ｂの各光源１０ｂの近傍に位置するために該各光源１０ｂの発光時に輝度が高くなり易い第２部位２２において、第２光源１０ｂの可視光の少なくとも一部が吸収される。そのため、光源装置Ｘ１では、第１光源群１０Ａの各光源１０ａの発光時での第１部位２１、あるいは第２光源群１０Ｂの各光源１０ｂの発光時での第２部位２２のように、相対的に輝度が高くなり易い部位の輝度を低減することができる。したがって、光源装置Ｘ１では、第１部位２１、第２部位２２において輝度が相対的に高くなることに起因する輝度ムラを低減することができる。
【００２８】
また、光源装置Ｘ１では、第１部位２１、第２部位２２、第３部位２３を表示領域とすることができるため、複数の光源１０からの光を導光体２０に入射する場合でも不要なデットスペースが生じるのを抑制することができ、小型化を図ることができる。
【００２９】
光源装置Ｘ１において、第１光吸収材が第１光源１０ａの出射光の補色と同系色の色素を含んでいると、第１光吸収材によって第１部位２１で光の低減をより効率的に行うことができる。また、第２光吸収材が第２光源１０ｂの補色と同系色の色素を含んでいると、第２光吸収材によって第２部位２２での光の低減をより効率的に行うことができる
光源装置Ｘ１において、第３部位２３に対応する第３光拡散体３０ｃが白色系色素を含んでいると、第１低配光領域で且つ第２低配光領域に位置するために、相対的に輝度が低くなり易い第３部位２３での輝度の低減を抑制することができる。したがって、光源装置Ｘ１では、第３部位２３において輝度が相対的に低くなることに起因する輝度ムラを低減することができる。
【００３０】
図４は、本発明の第２の実施形態に係る光源装置Ｘ２の概略を表す図である。図５は、複数の光源１０と導光体２０と複数の光拡散体３０Ａとを表す平面図である。
【００３１】
光源装置Ｘ２は、光拡散体３０に代えて光拡散体３０Ａを採用する点において光源装置Ｘ１と異なる。なお、光源装置Ｘ２での上述の光源装置Ｘ１と重複する部分に関する説明は省略する。
【００３２】
複数の光拡散体３０Ａでは、第３光拡散体３０Ａｃの存在比率は、第１光拡散体３０Ａａおよび第２光拡散体３０Ａｂの存在比率より大きく、また、第４光拡散体３０Ａｄの存在比率は、第３光拡散体３０Ａｃの存在比率より小さく設定されている点で、上述の光拡散体３０と異なる。
【００３３】
本実施形態に係る光源装置Ｘ２では、光源装置Ｘ１と同様の効果を得ることができる。加えて、本実施形態に係る光源装置Ｘ２では、第３部位２３に対応する第３光拡散体３０Ａｃの存在比率が、第１部位２１に対応する第１光拡散体３０Ａａの存在比率より大きく且つ第２部位２２に対応する第２光拡散体３０Ａｂの存在比率より大きいため、相対的に輝度が低くなり易い第３部位２３での輝度をより高めることができる。したがって、光源装置Ｘ２では、第３部位２３において輝度が相対的に低くなることに起因する輝度ムラをより低減することができる。
【００３４】
光源装置Ｘ２では、第４部位２４に対応する第４光拡散体３０Ａｄの存在比率が第３部位２３に対応する第３光拡散体３０Ａｃの存在比率より小さい。そのため、光源装置Ｘ２では、第１高配光領域で且つ第２高配光領域に位置するために輝度が高くなる傾向にある第４部位と第３部位２３との輝度の差を小さくすることができる。したがって、光源装置Ｘ２では、第３部位２３での輝度と第４部位２４での輝度との差に起因する輝度ムラを低減することができる。
【００３５】
図６は、本発明の第３の実施形態に係る光源装置Ｘ３の概略を表す図である。図７は、複数の光源１０と導光体２０と複数の光拡散体３０Ｂとを表す平面図である。
【００３６】
光源装置Ｘ３は、光拡散体３０に代えて光拡散体３０Ｂを採用する点において光源装置Ｘ２と異なる。なお、光源装置Ｘ３での上述の光源装置Ｘ１と重複する部分に関する説明は省略する。
【００３７】
複数の光拡散体３０Ｂでは、第２光拡散体３０Ｂｄが、第１光吸収材および第２光吸収材を含んでいる点で、上述の光拡散体３０と異なる。
【００３８】
本実施形態に係る光源装置Ｘ３では、光源装置Ｘ１と同様の効果を得ることができる。加えて、本実施形態に係る光源装置Ｘ３では、第４部位２４に対応する第４光拡散体３０Ｂｄが第１光吸収材および第２光吸収材を含むため、第１高配光領域で且つ第２高配光領域に位置するために、輝度が高くなる傾向にある第４部位２４での輝度を、各部位２１、２２、２３での各輝度との差が小さくなるようにすることができる。したがって、光源装置Ｘ３では、各部位２１、２２、２３での各輝度と第４部位２４での輝度との差に起因する輝度ムラを低減することができる。
【００３９】
図８は、本発明の第４の実施形態に係る光源装置Ｘ４の概略を表す図である。図９は、複数の光源１０と導光体２０と複数の光拡散体３０Ｃとを表す平面図である。
【００４０】
光源装置Ｘ４は、光拡散体３０Ｂに代えて光拡散体３０Ｃを採用する点において光源装置Ｘ３と異なる。光源装置Ｘ４での上述の光源装置Ｘ１、Ｘ３と重複する部分に関する説明は省略する。
【００４１】
複数の光拡散体３０Ｃでは、本実施形態において第４光拡散体３０Ｃｄの存在比率は、第１光拡散体３０Ｃａおよび第２光拡散体３０Ｃｂの存在比率より小さく設定されている点で、上述の光拡散体３０Ｂと異なる。
【００４２】
本実施形態に係る光源装置Ｘ４では、光源装置Ｘ３と同様の効果を得ることができる。加えて、本実施形態に係る光源装置Ｘ４では、第４部位２４に対応する第４光拡散体３０Ｃｄの存在比率が第１部位２１に対応する第１光拡散体３０Ｃａの存在比率より小さく且つ第２部位２２に対応する第２光拡散体３０Ｃｂの存在比率より小さいため、例えば第１光源群１０Ａの各光源１０ａと第２光源群１０Ｃの各光源１０ｂとを同時発光させるときのように第４部位２４の輝度が各部位２１、２２、２３での各輝度より高くなる傾向にある場合でも、第４部位２４での輝度を、各部位２１、２２、２３での各輝度との差が小さくなるようにすることができる。したがって、光源装置Ｘ４では、上述のような同時発光時でも各部位２１、２２、２３での各輝度と第４部位２４での輝度との差に起因する輝度ムラを低減することができる。
【００４３】
図１０は、本発明の第５の実施形態に係る光源装置Ｘ５の概略を表す図である。図１１は、複数の光源１０と導光体２０と複数の光拡散体３０Ｄとを表す平面図である。
【００４４】
光源装置Ｘ５は、光拡散体３０に代えて光拡散体３０Ｄを採用する点において光源装置Ｘ１と異なる。なお、光源装置Ｘ５での上述の光源装置Ｘ１と重複する部分に関する説明は省略する。
【００４５】
複数の光拡散体３０Ｄでは、第４光拡散体３０Ｄｄの存在比率が第１光拡散体３０Ｄａの存在比率より小さく且つ第１光拡散体３０Ｄｂの存在比率より小さい点で、光源装置Ｘ２と異なる。
【００４６】
本実施形態に係る光源装置Ｘ５では、光源装置Ｘ１と同様の効果を得ることができる。加えて、本実施形態に係る光源装置Ｘ５では、第４部位２４に対応する第４光拡散体３０Ｄｄの存在比率が第１部位２１に対応する第１光拡散体３０Ｄａの存在比率より小さく且つ第２部位２２に対応する第２光拡散体３０Ｄｂの存在比率より小さい。そのため、光源装置Ｘ５では、例えば第１光源群１０Ａの各光源１０ａと第２光源群１０Ｂの各光源１０ｂとを同時発光させるときのように第４部位２４の輝度が各部位２１、２２、２３での各輝度より高くなる傾向にある場合でも、第４部位２４での輝度を、各部位２１、２２、２３での各輝度との差が小さくなるようにすることができる。したがって、光源装置Ｘ５では、上述のような同時発光時でも各部位２１、２２、２３での各輝度と第４部位２４での輝度との差に起因する輝度ムラを低減することができる。
【００４７】
図１２は、本発明の第６の実施形態に係る光源装置Ｘ６の概略を表す図である。図１３は、複数の光源１０と導光体２０Ａと複数の光拡散体３０Ｅとを表す平面図である。
【００４８】
光源装置Ｘ６では、導光板２０に代えて導光板２０Ａを、光拡散体３０に代えて光拡散体３０Ｅを採用する点において光源装置Ｘ１と異なり、また、本実施形態における光源１０は、複数の第１光源１０ａを含んでなる第１光源群１０Ａのみからなる。なお、光源装置Ｘ６での上述の光源装置Ｘ１と重複する部分に関する説明は省略する。
【００４９】
本実施形態において、光源１０は、複数の第１光源１０ａを含んでなる第１光源群１０Ａのみからなる。また、光源装置Ｘ６では、第１光源１０ａから出射される光の輝度が基準値以上となる角度を高配光角度とし、該輝度が該基準値より小さくなる角度を低配光角度とする。
【００５０】
導光体２０Ａは、第１部位２１Ａと、第２部位２２Ａと、第３部位２３Ａとを有している。図１３において各部位２１Ａ、２２Ａ、２３Ａの境界は破線で示されている。第１部位２１Ａは、第１光源１０ａの高配光領域で且つそれに隣りあう第１光源１０ａの低配光領域に位置するともに、第１光源１０ａが対向配置されている部位である。第２部位２２Ａは低配光領域に位置し、第１光源１０ａが対向配置されていない部位である。第３部位２３Ａは、第１光源１０ａの高配光領域で、且つそれに隣りあう第１光源１０ａの高配光領域に位置するとともに、高配光領域と低配光領域との境界線の交点を結ぶ基準線ＢＬより第１光源１０ａ側に位置する部位である。
【００５１】
複数の光拡散体３０Ｅは、複数の第１光拡散体３０Ｅａと、複数の第２光拡散体３０Ｅｂと、複数の第３光拡散体３０Ｅｃとを有している。複数の第１光拡散体３０Ｅａは第１部位２１Ａに対応する領域に位置し、複数の第２光拡散体３０Ｅｂは第２部位２２Ａに対応する領域に位置し、複数の第３光拡散体３０Ｅｃは第３部位２３Ａに対応する領域に位置する。第１光拡散体３０Ｅａは、光吸収材を含んでいる。光吸収材は、第１光源１０ａからの可視光の少なくとも一部を吸収する機能を有しており、例えば第１光源１０ａからの出射光の補色と同系色の色素を含んでいる。第２光拡散体３０Ｅｂは、第１光源１０ａからの可視光の吸収を抑制するように、例えば白色系色素を含んでいる。また、本実施形態において第３光拡散体３０Ｅｃは光吸収材を含んでおり、また、その存在比率は、第１光拡散体３０Ｅａおよび第２光拡散体３０Ｅｂの存在比率より小さい。
【００５２】
本実施形態に係る光源装置Ｘ６では、第１部位２１Ａに対応する第１光拡散体３０Ｅａが光吸収材を含んでいる。つまり、光源装置Ｘ１では、高配光領域の中でも第１光源１０ａの近傍に位置するために第１光源１０ａの発光時に輝度が高くなり易い第１部位２１Ａにおいて、第１光源１０ａからの可視光の少なくとも一部が吸収される。そのため、光源装置Ｘ６では、光源１０の発光時での第１部位２１Ａのように、相対的に輝度が高くなり易い部位の輝度を低減することができる。したがって、光源装置Ｘ１では、第１部位２１Ａにおいて輝度が相対的に高くなることに起因する輝度ムラを低減することができる。
【００５３】
また、光源装置Ｘ６では、第１部位２１Ａおよび第２部位２２Ａも表示領域とすることができるため、第１光源１０ａからの光を導光体２０Ａに入射する場合でも不要なデットスペースが生じるのを抑制することができ、小型化を図ることができる。
【００５４】
光源装置Ｘ６において、第２部位２２Ａに対応する第２光拡散体３０Ｅｂが白色系色素を含んでいると、相対的に輝度が低くなり易い第２部位２２Ａでの輝度の低減を抑制することができる。したがって、光源装置Ｘ６では、第２部位２２Ａにおいて輝度が相対的に低くなることに起因する輝度ムラを低減することができる。また、第２部位２２Ａに対応する第２光拡散体３０Ｅｂの存在比率を、第１部位２１Ａに対応する第１光拡散体３０Ｅａの存在比率より大きくすると、第１部位２１Ａと第２部位２２Ａとの輝度との差に起因する輝度ムラを低減することができる。
【００５５】
また、光源装置Ｘ６において、第３部位２３Ａに対応する第３光拡散体３０Ａｃが光吸収材を含むため、第３部位２３Ａの輝度が各部位２１Ａ、２２Ａでの各輝度より高くなる傾向にある場合でも、第３部位２３Ａでの輝度を、各部位２１Ａ、２２Ａの各輝度との差が小さくなるようにすることができる。したがって、光源装置Ｘ６では、第１部位２１Ａ、第２部位２２Ａでの各輝度と第３部位２３Ａでの輝度との差に起因する輝度ムラを低減することができる。
【００５６】
光源装置Ｘ６では、第３部位２３Ａに対応する第３光拡散体３０Ｅｃの存在比率が第１部位２１Ａに対応する第１光拡散体３０Ｅａの存在比率より小さく且つ第２部位２２Ａに対応する第２光拡散体３０Ｅｂの存在比率より小さい。そのため、第３部位２３Ａの輝度が各部位２１Ａ、２２Ａでの各輝度より高くなる傾向にあるときでも、第３部位２３での輝度を、各部位２１Ａ、２２Ａでの各輝度との差が小さくなるようにすることができる。したがって、各部位２１Ａ、２２Ａの各輝度と第３部位２３Ａでの輝度との差に起因する輝度ムラを低減することができる。
【００５７】
図１２は、本発明に係る光源装置Ｘ１を備える表示装置Ｙの概略を表す断面図である。表示装置Ｙは、光源装置Ｘ１と、表示パネル７０と、筐体８０とを備えている。なお、表示装置Ｙについては、光源装置Ｘ１を採用して説明するが、光源装置Ｘ２、Ｘ３、Ｘ４、Ｘ５、Ｘ６を採用しても同様である。
【００５８】
表示装置Ｙは、光源装置Ｘ１と、表示パネル７０とを備えている。
【００５９】
表示パネル７０は、光源装置Ｘ１の導光体２０の光出射面２０ａに、拡散体５０およびプリズム６０を介して対向するようにして配置されている。
【００６０】
表示パネル７０は、第１基体７１と、第２基体７２と、封止部材７３とを備えており、図１５に示すように、第１基体７１と第２基体７２との間に液晶層（図示せず）を介在させ、該液晶層を封止部材７３により封止することにより、画像を表示するための複数の画素をからなる表示領域Ｐが形成されている。
【００６１】
筐体８０は、表示パネル７０および光源装置Ｘ１を収容するものであり、上側筐体８１および下側筐体８２を有している。筐体８０の材料としては、例えば、ポリカーボネート樹脂などの樹脂と、ステンレス（ＳＵＳ）あるいはアルミニウムなどの金属とが挙げられる。
【００６２】
本実施形態に係る表示装置Ｙは、光源装置Ｘ１を備えているため、上述の光源装置Ｘ１の有する効果と同様の効果を享受することができる。すなわち、表示装置Ｙでは、表示品位を向上させるとともに、小型化を図ることが可能となる。
【００６３】
以上、本発明の具体的な実施形態を示したが、本発明はこれに限定されるものではない。
【００６４】
光源装置Ｘ１、Ｘ２、Ｘ３、Ｘ４、Ｘ５において、第１部位２１に対応する第１光拡散体３０、３０Ａａ、３０Ｂａ、３０Ｃａ、３０Ｄａは、第１光反射材を更に含んでもよい。例えば、第１光拡散体３０、３０Ａａ、３０Ｂａ、３０Ｃａ、３０Ｄａは、第１光吸収材および第１光反射材を所定割合で含有する複数の点状の構造体でもよいし、第１光吸収材および第１光反射材のうち、第１光吸収材のみを含有する点状の構造体と第１光反射材のみを含有する点状の構造体との組み合わせてもよい。第１光反射材は、第１光源１０ａの出射光の一部を反射する機能を有しており、例えば第１光源１０ａの出射光と同系色の色素および白色系色素の少なくとも一方を含んでいる。これによると、第１部位２１での輝度と他の部位２２、２３、２４での輝度との差の低減をより適切に達成することができる。なお、第１光拡散体３０、３０Ａａ、３０Ｂａ、３０Ｃａ、３０Ｄａは、第１光源１０ａの出射光を反射する成分より第１光源１０ａの出射光を反射する成分を大きくする方が好ましい。
【００６５】
光源装置Ｘ１、Ｘ２、Ｘ３、Ｘ４、Ｘ５において、第２部位２２に対応する第２光拡散体３０ｂ、３０Ａｂ、３０Ｂｂ、３０Ｃｂ、３０Ｄｂは、第２光反射材を更に含んでもよい。例えば、第１光拡散体３０ａ、３０Ａｂ、３０Ｂｂ、３０Ｃｂ、３０Ｄｂは、第２光吸収材および第２光反射材を所定割合で含有する複数の点状の構造体でもよいし、第２光吸収材および第２光反射材のうち、第２光吸収材のみを含有する点状の構造体と第２反射材のみを含有する点状の構造体との組み合わせてもよい。第２光反射材は、第２光源１０ｂの出射光を反射する機能を有しており、例えば第２光源１０ｂの出射光と同系色の色素および白色系色素の少なくとも一方を含んでいる。これによると、第２部位２２での輝度と他の部位２１、２３、２４での輝度との差の低減をより適切に達成することができる。なお、第２光拡散体３０Ａｂ、３０Ｂｂ、３０Ｃｂ、３０Ｄｂ、３０Ｅａは、第２光源１０ｂの出射光を反射する成分より第２光源１０ｂの出射光を反射する成分を大きくする方が好ましい。
【００６６】
光源装置Ｘ１、Ｘ２、Ｘ３、Ｘ４、Ｘ５、Ｘ６では、点状の構造体は、光拡散体３０、３０Ａ、３０Ｂ、３０Ｃ、３０Ｄ、３０Ｅの製造容易性を高めるため、平面視形状が略円形状となる略円柱状の構造体とされているが、このような構造には限られず、例えば平面視形状が略円形状となる略半球状の構造体としてもよいし、平面視形状が略楕円形状となる略円柱状の構造体としてもよいし、配置密度を高める観点から平面視形状が略多角形状となる略多角柱状の構造体としてもよい。ここで、多角形とは、２ｎ＋１（ｎは自然数）個以上の角部を有する角形を意味する。
【００６７】
光源装置Ｘ１，Ｘ２、Ｘ３、Ｘ４、Ｘ５、Ｘ６では、複数の光源１０が１種類の光源群１０Ａ、または２種の光源群１０Ａ、１０Ｂにより構成されているが、３種以上の光源群により構成してもよい
【符号の説明】
【００６８】
Ｘ１、Ｘ２、Ｘ３、Ｘ４、Ｘ５、Ｘ６    光源装置
Ｙ    表示装置
１０    光源
１０ａ  第１光源
１０ｂ  第２光源
２０、２０Ａ    導光体
３０、３０Ａ、３０Ｂ、３０Ｃ、３０Ｄ、３０Ｅ    光拡散体
４０    反射体
５０    拡散板
６０    プリズム
７０    表示パネル
【図１】
2009145319.tif 000003
【図２】
2009145319.tif 000004
【図３】
2009145319.tif 000005
【図４】
2009145319.tif 000006
【図５】
2009145319.tif 000007
【図６】
2009145319.tif 000008
【図７】
2009145319.tif 000009
【図８】
2009145319.tif 000010
【図９】
2009145319.tif 000011
【図１０】
2009145319.tif 000012
【図１１】
2009145319.tif 000013
【図１２】
2009145319.tif 000014
【図１３】
2009145319.tif 000015
【図１４】
2009145319.tif 000016
【図１５】
2009145319.tif 000017
【国際調査報告】
2009145319.tif 000018
2009145319.tif 000019
2009145319.tif 000020